(57)【特許請求の範囲】
【請求項１】
ハードライン同軸ケーブルに使用する耐環境封止された迅速接続コネクタであって、ハードライン同軸ケーブルを挿入する挿入端部と、挿入端部に対してコネクタ軸方向の反対側に位置する接続端部とを備え、
接続端部寄りの近位部分と接続端部から離れる遠位部分を持つ円筒状壁を有する細長のポストであって、遠位部分に、ハードライン同軸ケーブルの外部導体の内面に当接係合するのに適した外面を備えるポストと、
接続端部寄りの近位部分と接続端部から離れる遠位部分を持つ円筒状フェルールであって、遠位部分に、円周方向に互いに分離し軸方向に伸びる複数のフィンガであって、それぞれがハードライン同軸ケーブルの外部導体の外面に当接係合するのに適した内面および傾斜した外面を持つ複数のフィンガを備えるフェルールと、
ポストおよびフェルールを固定保持する接続端部寄りの近位端と、接続端部から離れる遠位開口端を備える細長の円筒状カラーと、
接続端部寄りの近位部分と接続端部から離れる遠位部分を持ち、近位部分でフェルールの傾斜外面に摺動係合し、遠位部分側の端部に、円周方向に形成したスロットを有する円筒状のスリーブと、
スリーブのスロット内への摺動挿入に適したシールリングとを備え、
シールリングをスリーブ内に、かつスリーブをカラーの開口端に摺動挿入する際に、スリーブの近位部分でフェルールの複数のフィンガを半径方向内向きに押縮してフィンガの内面を導体の外面に固定し、かつシールリングによりスリーブの遠位部分を同軸ケーブルの外部導体を囲繞するケーブルジャケットの外面に半径方向内向きに押縮することにより耐環境シールとする迅速接続コネクタ。
【請求項２】
スリーブの遠位部分にＯリングを備え、これにより、スリーブおよびカラーの摺動係合の際、スリーブおよびカラーを耐環境封止する請求項１記載のコネクタ。
【請求項３】
スリーブの近位部分に形成した傾斜した内面がフェルールの傾斜外面に摺動係合する請求項１記載のコネクタ。
【請求項４】
フェルールの複数のフィンガの内面に内向きに延在する隆条を形成し、これによって外部導体に固定係合する請求項１記載のコネクタ。
【請求項５】
接続端部側に設けたナットおよびナットの接続端部寄りの部分に設けたＯリングを備え、これにより、ナットとカラーの摺動係合の際、ナットおよびカラーを耐環境封止する請求項１記載のコネクタ。
【請求項６】
シールリングから半径方向外向きに延在する隆起した歯を備え、これにより、シールリングのスリーブ内への摺動挿入の際、シールリングをスリーブのスロット内に固定保持する請求項１記載のコネクタ。
【請求項７】
カラーの開口端に切込みを備え、スリーブの遠位部分側端部に隆条を備え、切込みおよび隆条は、スリーブおよびカラーの摺動係合の際に互いに係合し、それによってスリーブをカラーに固定する請求項１記載のコネクタ。
【請求項８】
コネクタをＲＦコネクタとする請求項１記載のコネクタ。
【請求項９】
ハードライン同軸ケーブルに使用する耐環境封止された迅速接続コネクタであって、ハードライン同軸ケーブルを挿入する挿入端部と、挿入端部に対してコネクタ軸方向の反対側に位置する接続端部とを備え、
接続端部寄りの近位部分と接続端部から離れる遠位部分を持つ円筒状壁を有する細長のポストであって、遠位部分に、ハードライン同軸ケーブルの外部導体の内面に当接係合するのに適した外面を備えるポストと、
接続端部寄りの近位部分と接続端部から離れる遠位部分を持つ円筒状フェルールであって、遠位部分に、円周方向に互いに分離し軸方向に伸びる複数のフィンガであって、それぞれがハードライン同軸ケーブルの外部導体の外面に当接係合するのに適した内面および傾斜した外面を持つ複数のフィンガを備えるフェルールと、
ポストおよびフェルールを固定保持する接続端部寄りの近位端と、接続端部から離れる遠位開口端を備える細長の円筒状カラーと、
接続端部寄りの近位部分と接続端部から離れる遠位部分を持ち、近位部分でフェルールの傾斜外面に摺動係合し、遠位部分側の端部に、円周方向に形成した切込みを有する円筒状のスリーブと、
スリーブの切込み内に配置したＯリングと、
スリーブの切込み内への摺動挿入に適したシールリングとを備え、
カラーの開口端でシールリングをスリーブ内に摺動挿入する際に、スリーブの近位部分でフェルールの複数のフィンガを半径方向内向きに押縮してフィンガの内面を導体の外面に固定し、かつシールリングによりＯリングを同軸ケーブルの外部導体を囲繞するケーブルジャケットの外面に押縮することにより耐環境シールとする迅速接続コネクタ。
【請求項１０】
スリーブの遠位部分に第２のＯリングを備え、これにより、スリーブおよびカラーの摺動係合の際、スリーブおよびカラーを耐環境封止する請求項９記載のコネクタ。
【請求項１１】
スリーブの近位部分に形成した傾斜した内面がフェルールの傾斜外面に摺動係合する請求項９記載のコネクタ。
【請求項１２】
フェルールの複数のフィンガの内面に内向きに延在する隆条を形成し、これによって外部導体に固定係合する請求項９記載のコネクタ。
【請求項１３】
接続端部側に設けたナットおよびナットの接続端部寄りの部分に設けた第３のＯリングを備え、これにより、ナットとカラーの摺動係合の際、ナットおよびカラーを耐環境封止する請求項１０記載のコネクタ。
【請求項１４】
シールリングから半径方向外向きに延在する隆起した歯を備え、これにより、シールリングのスリーブ内への摺動挿入の際、シールリングをスリーブの切込み内に固定保持する請求項９記載のコネクタ。
【請求項１５】
カラーの開口端に第２の切込みを備え、スリーブの遠位部分側端部に隆条を備え、第２切込みおよび隆条は、スリーブおよびカラーの摺動係合の際に互いに係合し、それによってスリーブをカラーに固定する請求項９記載のコネクタ。
【請求項１６】
コネクタをＲＦコネクタとする請求項９記載のコネクタ。
【請求項１７】
細長の中心導体と、中心導体を囲繞する誘電体と、誘電体を包囲する管状の外部導体と、外部導体を被覆するケーブルジャケットとを備えるハードライン同軸ケーブルとコネクタを有する電気接続体であって、コネクタはハードライン同軸ケーブルを挿入する挿入端部と、挿入端部に対してコネクタ軸方向の反対側に位置する接続端部とを備え、さらに、
接続端部寄りの近位部分と接続端部から離れる遠位部分を持つ円筒状壁を有する細長のポストであって、遠位部分に、ハードライン同軸ケーブルの外部導体の内面に当接係合するのに適した外面を備えるポストと、
接続端部寄りの近位部分と接続端部から離れる遠位部分を持つ円筒状フェルールであって、遠位部分に、円周方向に互いに分離し軸方向に伸びる複数のフィンガであって、それぞれがハードライン同軸ケーブルの外部導体の外面に当接係合するのに適した内面および傾斜した外面を持つ複数のフィンガを備えるフェルールと、
ポストおよびフェルールを固定保持する接続端部寄りの近位端と、接続端部から離れる遠位開口端を備える細長の円筒状カラーと、
接続端部寄りの近位部分と接続端部から離れる遠位部分を持ち、近位部分でフェルールの傾斜外面に摺動係合し、遠位部分側の端部に封止装置を備える円筒状のスリーブと、
スリーブのスロット内への摺動挿入に適したシールリングとを備え、
カラーの開口端でシールリングをスリーブ内に摺動挿入する際に、スリーブの近位部分でフェルールの複数のフィンガを半径方向内向きに押縮してフィンガの内面を導体の外面に固定し、かつシールリングにより封止装置を同軸ケーブルのケーブルジャケットの外面に押縮することにより耐環境シールとする電気接続体。
【請求項１８】
スリーブの遠位部分にＯリングを備え、これにより、スリーブおよびカラーの摺動係合の際、スリーブおよびカラーを耐環境封止する請求項１７記載の電気接続体。
【請求項１９】
スリーブの近位部分に形成した傾斜した内面がフェルールの傾斜外面に摺動係合する請求項１７記載の電気接続体。
【請求項２０】
フェルールの複数のフィンガの内面に内向きに延在する隆条を形成し、これによって外部導体に固定係合する請求項１７記載の電気接続体。
【請求項２１】
スリーブの遠位部分に切込み部分を形成し、切込み部分内に納められたＯリングを封止装置とする請求項１７記載の電気接続体。
【請求項２２】
スリーブの遠位部分において円周方向に設けたスロットによりスリーブの内側部分を形成し、封止装置は、スリーブのシールリング内への摺動挿入の際に半径方向内向きに押縮されるスリーブ内側部分により形成される請求項１７記載の電気接続体。
【請求項２３】
シールリングから半径方向外向きに延在する隆起した歯を備え、これにより、シールリングのスリーブ内への摺動挿入の際、シールリングをスリーブのスロット内に固定保持する請求項１７記載の電気接続体。
【請求項２４】
カラーの開口端に切込みを備え、スリーブの遠位部分側端部に隆条を備え、切込みおよび隆条は、スリーブおよびカラーの摺動係合の際に互いに係合し、それによってスリーブをカラーに固定する請求項１７記載の電気接続体。
【請求項２５】
コネクタをＲＦコネクタとする請求項１７記載の電気接続体。
【請求項２６】
ケーブルジャケットが変形可能な材料から形成される請求項１７記載の電気接続体。
【請求項２７】
同軸ケーブルに使用するコネクタであって、同軸ケーブルを挿入する挿入端部と、挿入端部に対してコネクタ軸方向の反対側に位置する接続端部とを備え、
接続端部寄りの近位部分と接続端部から離れる遠位部分を持つ円筒状壁を有する細長のポストであって、遠位部分に、ハードライン同軸ケーブルの外部導体の内面に当接係合するのに適した外面を備えるポストと、
接続端部寄りの近位部分と接続端部から離れる遠位部分を持つ円筒状フェルールであって、遠位部分に、円周方向に互いに分離し軸方向に伸びる複数のフィンガであって、それぞれがハードライン同軸ケーブルの外部導体の外面に当接係合するのに適した内面および傾斜した外面を持つ複数のフィンガを備えるフェルールと、
ポストの近位部分およびフェルールの近位部分を固定保持する接続端部寄りの近位端と、接続端部から離れる遠位開口端を備える細長の円筒状カラーと、
接続端部寄りの近位部分と接続端部から離れる遠位部分を持ち、近位部分でフェルールの傾斜外面に係合し、遠位部分に開口端と、円周方向に形成した切込みを有する円筒状のスリーブと、
スリーブの切込み内での固定に適した中空の円筒状シールリングと、
スリーブの切込み内に配置したＯリングとを備え、
カラーの開口端でスリーブを固定係合する際に、スリーブの近位部分でフェルールの複数のフィンガを半径方向内向きに押縮してフィンガの内面を導体の外面に固定し、かつＯリングが同軸ケーブルの外部導体を囲繞するケーブルジャケットの外面に押縮することにより耐環境シールとするコネクタ。
【請求項２８】
カラーとスリーブの固定係合の際、カラーとスリーブの間に耐環境封止をもたらす第２のＯリングを備える請求項２７記載のコネクタ。
【請求項２９】
フェルールの複数のフィンガの内面に内向きに延在する隆条を形成し、これによって外部導体に固定係合する請求項２７記載のコネクタ。
【請求項３０】
接続端部側に設けたナットおよびナットの接続端部寄りの部分に設けた第３のＯリングを備え、これにより、ナットとカラーの固定係合の際、ナットおよびカラーを耐環境封止する請求項２８記載のコネクタ。
【請求項３１】
スリーブの近位部分に形成した傾斜した内面がフェルールの傾斜外面に係合する請求項２７記載のコネクタ。
【発明の詳細な説明】
【０００１】
【発明の属する技術分野】
本発明は電気的コネクタに関し、特に、ハードラインまたは半硬質同軸ケーブル用の軸方向押縮可能なコネクタに関する。
【０００２】
【従来の技術】
同軸ケーブルは、ケーブルテレビジョン業界でケーブルテレビ信号を家庭、事業所、その他の箇所のテレビジョンセットに搬送するために一般に使用される。ハードライン同軸ケーブルは、信号をそれらの箇所の外部の配信システムに搬送するために使用することができ、フレキシブル同軸ケーブルは、それらの箇所の内部での信号搬送に使用されることが多い。ハードラインまたは半硬質同軸ケーブルは、高度のＲＦシールドが要求される場合にも使用される。
【０００３】
ハードラインケーブルは、一般的に銅製もしくは銅覆アルミニウム製の、一体管状外部導体に囲繞された一体ワイヤコアまたは内部導体を含む。外部導体は通常は銅製もしくはアルミニウム製である。誘電性材料または絶縁体により内外導体を分離する。外部導体は、プラスチック製ケーブルジャケットもしくはシースで被覆することによって耐食および耐候防護する。
【０００４】
半硬質同軸ケーブル用コネクタの１つのタイプは、コネクタをケーブルの外部導体に直接はんだ付けする。たとえば、米国特許第４９２１４４７号および５２３２３７７号参照。はんだ付けによって、一部には、コネクタを外部導体に機械的に取り付けることができる。しかし、このような直接はんだ付けは、複雑な装置が要求され、かつ複雑な装置の操作が困難なために生産性が問題となることが多かった。
【０００５】
別のタイプのハードラインケーブル用ケーブルコネクタでは、半径方向押縮圧着法を用いてコネクタの一部をケーブルに電気的かつ機械的に接続する。一般に、コネクタ内のスリーブは圧着工具により押縮される。スリーブには、スロット、溝、ねじ等を設けてスリーブとケーブルの外部導体の間の機械的接続に役立てることができる。たとえば、米国特許第４４０８８２１号、４４６９３９０号、５１２０２６０号および６０４２４２２号参照。しかし、半径方向圧着では、押縮力が外部導体もしくは外部コネクタの外部管状ジャケットに均一に掛からないことが多い。そのような不均一な押縮によって溝が形成され、同軸ケーブル接続部に水分が滲入し、その結果、ケーブルによって搬送される信号の劣化を招く可能性がある。
【０００６】
コネクタをより均一に押縮するため、ねじ付きケーブルコネクタが従来から使用されている。たとえば、米国特許第５３５２１３４号および６０１９６３６号参照。しかし、ねじ付きコネクタは、ねじによる接続に要する回転運動のために装着に一層時間が掛かることが多い。さらに、ねじ接続の接続工は様々なサイズのケーブルコネクタに対応するために様々なサイズの工具を多数携行しなければならず、これもまた装着工程を煩雑化した。
【０００７】
圧着コネクタおよびねじ付きコネクタの難点を克服するため、軸方向押縮可能なコネクタが様々に設計されてきた。米国特許第４４０８８２１号および４４５２５０３号は、コネクタの軸方向押縮によりグリップリングを半径方向押縮する溝付き管状スリーブを備えるコネクタを開示している。グリップリングは外部導体に進んでいくスプラインフィンガおよび外部導体と噛合する長手方向溝を有する。しかし、そのような構成では外部導体が機械的変形を受け、信号損失を招来する可能性がある。さらに、この設計では、外部コネクタの周囲面が必ずしも全体にグリップリングと係合するのではないため、水分のコネクタへの入来に対する防護が十分でない。関連する応用でシーリング法を向上する試みとして、米国特許第４５４０２３１号は接着剤を使用してシールとした。しかし、接着剤を使用することによって、そのようなコネクタの装着および構造が一層複雑化した。
【０００８】
米国特許第４５９６４３４号および４６６８０４３号は、コネクタの軸方向押縮によりブシュによって半径方向に押縮され、接続ナットがブシュに押し付けられる内歯付き管状ハウジングを開示している。この歯が外部導体に進んでいき、機械的かつ電気的接続が得られる。このブシュは、ブシュと外部導体の間のシールの役をするＯリングを内蔵することもできる。しかし、そのような設計でも外部導体の機械的変形が著しく、これもまた信号損失を招く可能性がある。
【０００９】
米国特許第４８３４６７６号は、内部突刺および長手方向スロットを備えるフェルールを開示している。コネクタを軸方向押縮する工具でフェルールを押縮すると、突刺により外部導体が変形する。この設計は、フェルールの押縮後に長手方向スロットが実質的に閉じてコネクタが封止されることに依存する。しかし、この設計は水分の滲入に対して有効でない。
【００１０】
【発明が解決しようとする課題】
このように、接続が一層簡単で、適切な機械的かつ電気的接続が得られるハードラインケーブル用の接続し易いコネクタが必要とされている。さらに、同軸ケーブルの外部導体を甚だしく変形することなく外部環境からの水分の滲入を有効に封止するハードラインケーブル用コネクタが必要とされている。
【００１１】
【目的】
本発明は、ハードラインまたは半硬質同軸ケーブル用の迅速接続耐環境封止されたコネクタを提供する。このコネクタは、封入装置を備えたシールリングおよびスリーブを含む。コネクタを軸方向押縮してコネクタを閉じ同軸ケーブルに固定することにより、シールリングおよびスリーブが摺動係合し、封止装置が同軸ケーブルの外部ケーブルジャケットに押し付けられ、それによって耐環境封止部分が得られる。
【００１２】
【課題を解決するための手段】
本発明の１つの態様においては、スリーブの遠位端に周囲に亘るスロットを含み、その遠位端をシールリングの近位端とする。コネクタの軸方向押縮により、スリーブおよびシールリングが摺動係合し、スリーブ遠位端の内部がケーブルジャケットに押し付けられ、それによってコネクタの耐環境シールとする。
【００１３】
本発明の別の態様においては、スリーブがその遠位端に切込みおよび切込み内に位置決めされたＯリングを含む。コネクタの軸方向押縮により、スリーブおよびシールリングが摺動係合し、Ｏリングがケーブルジャケットに押し付けられて耐環境シールが形成される。
【００１４】
コネクタの軸方向押縮により、スリーブの近位端、すなわち遠位端の対向側が分岐フィンガを有するフェルールに摺動係合する。フェルールフィンガが半径方向内向きに押縮され、それによってフェルールが同軸ケーブルの外部導体に固定される。コネクタには、フェルールの押縮時に外部導体の潰れを防止するポストも含まれる。
【００１５】
ポスト、フェルールおよびスリーブは概ねコネクタのカラー内に収容される。軸方向押縮によりコネクタを閉じることによって、耐環境シールがスリーブとカラーの間に形成され、その箇所での水分の移動が防止される。
【００１６】
本発明のさらに別の態様においては、ハードラインまたは半硬質同軸ケーブル用の耐環境封止されたコネクタが提供される。コネクタはＯリングを含み、コネクタを同軸ケーブルに固定することにより、Ｏリングによる耐環境シールが得られる。１つのＯリングは、円筒状スリーブの切込み内に置かれる。このＯリングは同軸ケーブルのケーブルジャケットに係合して耐環境シールを形成する。コネクタを同軸ケーブルに固定することにより、スリーブが分岐したフェルールに係合する。分岐フェルールは半径方向内向きに押縮され、それによってフェルールが同軸ケーブルの外部導体に固定される。コネクタは、フェルールの押縮時に外部導体の潰れを防止するポストをも含む。コネクタを同軸ケーブルに固定することにより、耐環境シールが円筒状シールとカラーの間にも形成され、そこでの水分の移動が防止される。
【００１７】
【発明の実施の形態】
本発明は、ハードラインまたは半硬質同軸ケーブル用のコネクタに関する。このコネクタは、ハードライン同軸ケーブル周囲に軸方向押縮可能に形状構成され、同軸ケーブルを機械的かつ電気的に接続する。さらに、軸方向押縮により、コネクタは同軸ケーブルを耐環境封止し、それによって同軸ケーブルの性能に悪影響をおよぼす可能性のある水分の滲入に対し防護する。
【００１８】
図１は、本発明のコネクタ１０の一部切欠斜視図である。コネクタ１０は、シールナット１２、カラー１４、ポスト１６、フェルール１８、スリーブ２０およびシールリング２２を含み、これらが図示のように相互関係にある。コネクタ１０は、ハードライン同軸ケーブル２４用の、軸方向押縮により閉じる迅速接続ＲＦコネクタである。
【００１９】
同軸ケーブル２４は、電気信号を通すことができる細長のケーブル中心導体２６を含む。中心導体２６は、一般的に銅、銅覆アルミニウム、銅覆鋼等の導電性金属から形成される。ケーブル中心導体２６はケーブル誘電体２８によって囲繞され、この誘電体によりケーブル中心導体２６を絶縁して信号損失を最小限化する。ケーブル誘電体２８はまた、ケーブル中心導体２６とケーブル外部導体３０の間の間隔を維持する。ケーブル誘電体２８は、ポリエチレン等のプラスチック材料、ポリエチレン等のフッ素化プラスチック材料、ポリテトラフルオロエチレン等のフッ素化プラスチック材料、ファイバグラスブレード等であることが多い。ケーブル外部導体３０は、一般的にアルミニウムまたはスチール等の金属であることが多く、かつ押出成形による外面の滑らかな一体壁を備える中空管状構造であることが多い。ケーブルジャケット３２は、ケーブル外部導体３０を囲繞し、同軸ケーブル２４をさらに封止し、一般的にポリ塩化ビニル、ポリエチレン、ポリウレタン、ポリテトラフルオロエチレン等のプラスチックである。
【００２０】
図１に示すように、ケーブルジャケット３２、ケーブル外部導体３０およびケーブル誘電体２８の各一部分が同軸ケーブル２４の近位端から取り除かれる。ここで、近位とはピン端子４０寄りの長手方向一般を指し、遠位とはピン端子４０から離れる長手方向一般を指す。コネクタ１０の軸方向押縮により、ケーブル中心導体２６の露出部分２７がピン端子４０に摺動係合する。ピン端子４０は、ピン支持体５０およびステム５２によりシールナット１２内に固定され、閉鎖カラー５４によりカラー１４内に固定される。Ｏリング１３がシールナット１２とカラー１４の間の耐環境シールとなる。さらに、ケーブルジャケット３２およびケーブル誘電体２８の各一部分が同軸ケーブル２４の近位端からさらに取り除かれ、ケーブル外部導体３０の露出部分３１ができる。
【００２１】
ポスト１６は、ケーブル外部導体３０の露出部分３１の内壁に係合するのに適した長目の管状部分５６を有する。ポスト１６はその近位端にフランジ５８を有し、長目の管状部分５６の近位端に隆条６０を有する。ポスト１６は、アルミニウムまたは黄銅等の導電性金属により構成される。図２Ａはコネクタ１０の開いた状態の断面図であるが、これに示すようにフランジ５８および隆条６０はフェルール１８をカラー１４内に固定するように形状構成される。
【００２２】
図３Ａおよび３Ｂは、フェルール１８の斜視図である。フェルール１８は、その近位端に中空の管状フランジ６２を有する。フランジ６２の内部６３は、ポスト１６の隆条６０に当接係合するように形状構成される。フランジ６２の外部６４は、カラー１４の内部に当接係合するように形状構成される。
【００２３】
フェルール１８は、複数の分岐フィンガ６６を有する。分岐フィンガ６６は、内部７０から周囲方向に延在する複数の内向きに突出する隆条６８を有する。隆条６８は内向きに突出する螺条とすることが望ましい。この後図２Ｂに関してさらに詳細に記載するように、隆条６８はケーブル外部導体３０の露出部分３１に固定可能に係合するように形状構成される。さらに、分岐フィンガ６６の傾斜面７２により分岐フィンガ６６は遠位側が先細となっている。フェルール１８は、アルミニウムまたは黄銅等の導電性金属により構成される。
【００２４】
スリーブ２０は、プラスチック材料等の変形可能な材料製による長目の中空管状円筒である。有用なプラスチック材料にはアセタール樹脂が含まれ、ＤｕＰｏｎｔ  ｄｅ  Ｎｅｍｏｕｒｓ  ａｎｄ  Ｃｏ．から入手可能なＤｅｒｌｉｎ（登録商標）等のポリオキシメチレンタイプのアセタール樹脂もその１つである。スリーブ２０の遠位部分３４の環状スロット３６は遠位部分３４の壁内に長手方向に延在する。スロット３６は、シールリング２２の近位端３８を受けるように形状構成され、以下図２Ａおよび２Ｂに関してさらに記載する。
【００２５】
図２Ａおよび２Ｂに示すように、スリーブ２０の遠位部分３４に隣接する窪み３５が周囲方向に延在し、この窪みはＯリング７４を保持するのに適している。Ｏリング７４は、合成ゴム、エラストマーの重合体または変形可能なプラスチックなどの弾性材料により構成される。窪み３５に隣接し外向きに突出する凸条７６があり、この凸条はコネクタ１０の閉鎖時にスリーブ２０をカラー１４内に固定するのに適している。スリーブ２０の近位端はスリーブ２０の内外両面から先細となっている。スリーブ２０の先細内面７８は、フェルール１８の分岐フィンガ６６の傾斜面７２に摺動係合するように設計される。
【００２６】
図４Ａおよび４Ｂは、貫通中空ボアを有するシールリング２２の斜視図である。シールリング２２の遠位端４４にはフランジ４２がある。シールリング２２の近位部分３８には周囲方向に延在するリブ４６があり、外壁４８から外向きに延在する。リブ４６は、外向きに突出する螺条とすることが望ましい。シールリング２２はアルミニウムまたは黄銅等の金属製とすることが望ましい。シールリング２２はスリーブ２０のキャビティに嵌合し、リブ４６によってシールリング２２がキャビティに固定される。
【００２７】
コネクタ１０の開いた状態の断面を示す図２Ａにあるように、同軸ケーブル２４はコネクタ１０内に置かれる。露出したケーブル導体２７はピン端子４０内に置かれる。ケーブル外部導体３０の露出部分３１は、ポスト１６とフェルール１８の間に位置決めされる。ポスト１６はケーブル外部導体３０の露出部分３１を支持し、それによってコネクタ１０を閉じた時のケーブル外部導体３０の大きな変形が阻止される。スリーブ２０の近位端はカラー１４の遠位端内に位置決めされる。
【００２８】
コネクタ１０を軸方向押縮してコネクタ１０を閉じかつ封止するには、工具（図示せず）を使用することができる。図２Ｂに示すように、コネクタ１０のベクトルＡ−Ａの軸方向押縮により、スリーブ２０の先細内面７６がフェルール１８の傾斜面７２に摺動係合する。摺動係合によってフェルール１８の分岐フィンガ６６が内向き押縮され、それによって隆条６８がケーブル外部導体２６の露出部２７に当接し、ケーブル外部導体２６がポスト１６とフェルール１８の間に固定される。
【００２９】
さらに、コネクタ１０の軸方向押縮により、カラー１４の遠位部分がスリーブ２０の遠位部分３４に摺動係合し、それによってＯリング７４が押縮され、コネクタ１０が耐環境封止される。スリーブ２０の凸条７６がカラー１４の遠位部分の内部沿いに周囲方向に延在する切込み８０に摺動係合する。凸条７６および切込み８０の摺動係合により、スリーブ２０がカラー１４に固着される。
【００３０】
さらに、コネクタ１０の軸方向押縮により、シールリング２２の近位端３８がスリーブ２０の環状スロット３６内に摺動挿入され、次いでスリーブ２０の遠位部分３４がシールリング２２の遠位端４４のフランジ４２に当接係合する。フランジ４２は、シールリング２２のスリーブ２０内への移動を制限するストッパの役をする。シールリング２２のスリーブ２０内への係合により、スリーブ２０の遠位部分３４の内側部分８２が周囲方向にケーブルジャケット３２に押し付けられ、コネクタ１０の耐環境シールとなる。シールリング２２のリブ４６がスリーブ２０の環状スロット３６の内面８４に係合し、それによってシールリング２２がスリーブ２０内に固定される。
【００３１】
本発明は、コネクタのスリーブの一部を押縮することによりケーブルジャケットに耐環境シールを施すことのみに限定されない。本発明の別の態様においては、図５Ａおよび５Ｂに示すように、Ｏリング１８６をケーブルジャケット１３２で使用してコネクタ１００の耐環境シールとする。Ｏリング１８６は、合成ゴム、エラストマーの重合体または変形可能なプラスチック等の弾性材料により構成される。図５Ａおよび５Ｂは、コネクタ１００の開いた状態および閉じた状態それぞれの断面図である。図５Ａおよび５Ｂでは、同様の構成部品には前述と同様の番号を付す。
【００３２】
スリーブ１２０は、その遠位部分１３４に切込み１３６を有する。コネクタ１００の軸方向押縮により、シールリング１２２の近位端１３８がＯリング１８６を係合押縮する。押縮により、Ｏリング１８６がケーブルジャケット１３２に係合して、コネクタ１００の耐環境シールとなる。
【００３３】
本発明のまた別の態様においては、スリーブ１２０およびシールリング１２２の配置の詳細を示すコネクタ１００の一部断面図である図６に示すように、シールリング１２２のフランジ１４２近傍に隆条部１８８がある。隆条部１８８は、シールリング１２２およびスリーブ１２０の摺動係合に要する力を制御する干渉部である。しかし、本発明は隆条部１８８を使用して係合力を制御することのみに制限されない。切込み１３６のサイズ、リブ１４６の高さ、Ｏリング１８６のサイズ等の他のパラメータを使用することによって、係合力を制御することも可能である。フランジ１４２は、Ｏリング１８６の過剰押縮を防止する確実なストッパの役をする。
【００３４】
以上に説明した構造およびそれに対応する方法の様々な変形は、当分野の技術者にとって明白であろう。したがって、以上の説明および添付図面において定義された事項は例示的に提示するにずぎず、何ら本発明を制限するものではない。よって、本発明の特に開示した範囲は請求項に定義されている。
【図面の簡単な説明】
【図１】本発明のコネクタの一部切欠斜視図である。
【図２Ａ】図１のコネクタの開いた状態の断面図である。
【図２Ｂ】図１のコネクタの閉じた状態の断面図である。
【図３Ａ】図１のコネクタのフェルールの斜視図である。
【図３Ｂ】図１のコネクタのフェルールの別の斜視図である。
【図４Ａ】図１のコネクタのシーリングリングの斜視図である。
【図４Ｂ】図１のコネクタのシーリングリングの別の斜視図である。
【図５Ａ】本発明の第２実施形態のコネクタの開いた状態の断面図である。
【図５Ｂ】図５Ａのコネクタの閉じた状態の断面図である。
【図６】図５Ａのコネクタのスリーブ、Ｏリングおよびシールリングの配置を示す部分断面図である。
【図１】
0003893041.tif 000002
【図２Ａ】
0003893041.tif 000003
【図２Ｂ】
0003893041.tif 000004
【図３Ａ】
0003893041.tif 000005
【図３Ｂ】
0003893041.tif 000006
【図４Ａ】
0003893041.tif 000007
【図４Ｂ】
0003893041.tif 000008
【図５Ａ】
0003893041.tif 000009
【図５Ｂ】
0003893041.tif 000010
【図６】
0003893041.tif 000011